(57)【要約】【課題】避難者が建物の避難側壁に沿って建物外部の地上面へと避難するための避難機器を提供する。【解決手段】避難者は、ボックス２０に取着された避難者支持帯９０に腰掛けて、ボックス２０外部に延設されたハンドル７０を回転操作する。そして、避難者は、建物の軒先３０に懸垂された滑車４０ａ、４０ｂと、ボックス２０に収納された回転車１０周囲とに連続して巻掛けられて、建物外部の地上面方向へと垂下されたロープ５０に沿って、回転車１０を回転させながら、回転車１０が収納されたボックス２０と共に、建物の避難側壁下方の地上面へと降下する。【選択図】図１
2008036108.tif 000002
【特許請求の範囲】
【請求項１】
回転車が回転自在に収納されたボックスと、建物の避難側壁外方に突出する軒先に回転自在に懸垂された滑車と、その滑車周囲と前記ボックス内の回転車周囲とに連続して巻掛けられたロープであって、その一端がボックスの一方の側部に固定されて、その他端がボックスの他方の側部から前記建物の避難側壁下方の地上面に向けて垂下されたロープと、前記回転車周囲に巻掛けられたロープを回転車周囲に圧接させて、回転車がロープに対してスリップするのを防ぐロープ圧接手段と、前記ボックス外部に延設された避難者が回転操作するハンドルと、該ハンドルを回転操作することにより、前記ボックスに収納された回転車を回転させる回転操作手段と、前記ボックスに取着された避難者支持帯とからなり、
前記ロープの一端から他端までの長さが、前記滑車が懸垂された軒先から地上面までの距離のほぼ２〜３倍に形成されたことを特徴とする避難機器。
【請求項２】
前記滑車が建物の軒先の左右に２個並べて回転自在に懸垂されて、その２個の滑車周囲と前記ボックス内の回転車周囲とに、その一端がボックスの一方の側部に固定されて、その他端がボックスの他方の側部から建物の避難側壁下方の地上面に向けて垂下された前記ロープが連続して巻掛けられたことを特徴とする請求項１記載の避難機器。
【請求項３】
前記ロープ圧接手段が、ボックスに内蔵されたゴム板を、回転車周囲に巻掛けられたロープ外側に押し付けて、そのロープを回転車周囲に圧接させるものであることを特徴とする請求項１又は２記載の避難機器。
【請求項４】
前記ゴム板を回転車周囲に巻掛けられたロープ外側に押し付ける押圧力を調整する調整手段が備えられたことを特徴とする請求項３記載の避難機器。
【請求項５】
前記回転操作手段が、２個のかさ歯車を介して、前記建物の避難側壁とほぼ平行な方向に回転させる回転車の回転軸が、該回転車が収納されたボックスの一方の側部外方に延設された前記建物の避難側壁に対してほぼ垂直な方向に回転操作するハンドルの回転軸に連結されたものであることを特徴とする請求項１記載の避難機器。
【発明の詳細な説明】
【技術分野】
【０００１】
本発明は、建物の避難側壁外部に設置して、地震や建物火災の際などに使用する、緊急避難用の避難機器に関する。
【背景技術】
【０００２】
建物の避難側壁外方に突出する軒先などに垂下されたロープを伝って建物の避難側壁下方の地上面へと避難者を避難させる緊急避難用の避難機器として、特開２００５−１６９０５５公報記載の避難装置や、実開平５−９１７０５号公報記載の避難者の自重を利用して地上面へと降下させる避難器具などが開発されている。
【特許文献１】特開２００５−１６９０５５号公報
【特許文献２】実開平５−９１７０５号公報
【発明の開示】
【発明が解決しようとする課題】
【０００３】
しかしながら、前者の避難装置は、１本のロープの中途部に取着された輪状のベルトに避難者の身体胴部を巻き付ける等して、その１本のロープを支えに不安定な姿勢で避難者がロープを伝って建物避難側壁下方の地上面に降下するものであって、避難者が安心感のある安定した状態で建物外部の地上面に避難できる構造をしていない。また、その避難者の身体胴部を支持するベルトを１本のロープに沿って地上面へと降下させるベルト降下手段が、歯車機構を用いた複雑な構造をしていて、そのベルト降下手段が緊急避難時に避難者が誤りなく容易に操作できる構造をしてない。そのため、心が不安定で動揺した状態にある避難者が、そのベルト降下手段を誤りなく操作して、１本のロープを伝って安全かつ迅速に建物外部の地上面に避難できるか否かは、はなはだ疑問である。
【０００４】
後者の避難器具も、１本のロープの中途部に避難者の身体を吊り下げた不安定な姿勢で避難者が１本のロープを伝って建物外部の地上面に降下するものであって、避難者が安心感を持った安定した姿勢で建物外部の地上面に降下できる構造をしていない。また、その１本のロープの中途部に吊り下げた避難者の身体を、避難者の自重を利用して１本のロープに沿って地上面へと降下させる降下機構に、複雑な油圧調整機構が用いられていて、緊急避難時に、避難者が、その油圧調整機構を誤りなく容易に操作できる構造をしてない。そのため、後者の避難器具においても、心が不安定で動揺した状態にある避難者が、その油圧調整機構を誤りなく的確に操作して、１本のロープを伝って安全かつ迅速に建物外部の地上面に避難できるか否かは、はなはだ疑問である。
【０００５】
本発明は、このような課題に鑑みてなされたもので、地震や建物火災の際などの緊急時に、避難者が斜め横向き等の不安定な姿勢を取らずに、ほぼ垂直上方を向いた安心感のある安定した姿勢で、建物の避難側壁に沿って建物外部の地上面へと避難できる、避難機器を提供することを目的としている。
また、緊急避難時に、避難者が、誤りなく容易かつ的確に操作できる避難機器であって、心が不安定で動揺した状態にある避難者が、誤りなく操作して、安全かつ迅速に建物外部の地上面へと避難できる、避難機器を提供することを目的としている。
【課題を解決するための手段】
【０００６】
このような目的を達成するために、本発明の避難機器は、回転車が回転自在に収納されたボックスと、建物の避難側壁外方に突出する軒先に回転自在に懸垂された滑車と、その滑車周囲と前記ボックス内の回転車周囲とに連続して巻掛けられたロープであって、その一端がボックスの一方の側部に固定されて、その他端がボックスの他方の側部から前記建物の避難側壁下方の地上面に向けて垂下されたロープと、前記回転車周囲に巻掛けられたロープを回転車周囲に圧接させて、回転車がロープに対してスリップするのを防ぐロープ圧接手段と、前記ボックス外部に延設された避難者が回転操作するハンドルと、該ハンドルを回転操作することにより、前記ボックスに収納された回転車を回転させる回転操作手段と、前記ボックスに取着された避難者支持帯とからなっている。
【０００７】
このような構成の避難機器においては、避難者は、ボックスに取着された避難者支持帯に腰掛けたり身体を巻き付けたりして、自己の身体をボックスに支持させた状態とすることができる。そして、避難者は、そのボックス外部に延設されたハンドルを回転操作することにより、回転操作手段を用いて、ボックスに収納された回転車を回転させることができる。そして、避難者は、建物の避難側壁外方に突出する軒先に回転自在に懸垂された滑車と、ボックスに収納された回転車周囲とに連続して巻掛けられて、一端がボックスの一方の側部に固定されて、他端がボックスの他方の側部から建物外部の地上面方向へと垂下されたロープに沿って、回転車を回転させながら、回転車が回転自在に収納されたボックスと共に、建物の避難側壁下方の地上面へと降下できる。
その際には、避難者は、ロープ圧接手段を用いて、回転車周囲に巻掛けられたロープを回転車周囲に圧接させて、回転車がロープに対してスリップするのを防ぐことができる。そして、避難者は、回転車を、ロープに対してスリップさせずに、ロープに沿って回転させながら、回転車が収納されたボックスと共に、ロープを伝って、ロープが垂下された建物避難側壁下方の地上面へと安全に降下できる。
その際には、ボックスに取着された避難者支持帯に腰掛ける等した避難者は、ボックス外部に延設されたハンドルを回転操作するだけで、ボックスと共に、ロープを伝って、建物の避難側壁に沿って、地上面へと、安全かつ迅速に降下できる。
【０００８】
また、本発明の避難機器は、前記ロープの一端から他端までの長さが、前記滑車が懸垂された軒先から地上面までの距離のほぼ２〜３倍に形成されている。
そのため、上記のようにして、避難者が、ボックスに取着された避難者支持帯に腰掛ける等して、ボックスと共に、ロープを伝って、建物の避難側壁に沿って、地上面へと降下して、地上面に降り立った際には、その避難者と共に地上面へと降下したボックスの一方の側部に一端が固定されて、建物の軒先に懸垂された滑車周囲とボックス内の回転車周囲とに連続して巻掛けられてボックスの他方の側部から地上面へと垂下されたロープの他端が、地上面上方に高く持ち上がらずに、地上面又は地上面近くに位置した状態となる。
そのため、地上面に居る避難者救出者等は、その地上面又は地上面近くに位置するロープの他端を、地上面方向に引っ張って、そのロープの他端を地上面へと手繰り下げることができる。そして、その滑車周囲に巻掛けられたロープを介して、建物の軒先に吊り下げられた、避難者を地上面へと降下させて空となったボックスを、建物上方の軒先近くに引き上げることができる。そして、それに伴って、そのボックス及びそれに取着された避難者支持帯等を、建物の避難側壁に沿って、建物の窓、ベランダ、バルコニー等の脱出口まで引き上げることができる。そして、そのボックス及び避難者支持帯等からなる避難機器を、上記と同様にして、次の建物内に残る避難者を建物外部の地上面へと避難させるための、避難機器として、再び利用できる。
【０００９】
本発明の避難機器においては、前記滑車が建物の軒先の左右に２個並べて回転自在に懸垂されて、その２個の滑車周囲と前記ボックス内の回転車周囲とに、その一端がボックスの一方の側部に固定されて、その他端がボックスの他方の側部から建物の避難側壁下方の地上面に向けて垂下された前記ロープが連続して巻掛けられた構造とすると良い。
そして、ボックスの一方と他方の側部、即ちボックスの左右の側部が、建物の避難側壁外方に突出する軒先の左右に並べて回転自在に懸垂された２個の滑車に連続して巻掛けられて、それら２個の滑車の下方に垂下された左右２本のロープに支持されて、ボックスが建物の避難側壁に沿って左右に傾かずにほぼ垂直上方を向いた安定した状態で吊り下げられるようにすると良い。そして、それら２個の滑車から垂下された２本のロープに支持されたボックスが、左右のいずれか一方に傾くことなく、安定したほぼ垂直上方を向いた状態で、建物の避難側壁に沿って地上面へと降下するようにすると良い。そして、そのボックス外側に取着された避難者支持帯に腰掛けたり身体を巻き付けたりした避難者が、左右のいずれか一方に傾く等した不安定な不自然な姿勢を取らずに、ほぼ垂直上方を向いた安定した姿勢で、地上面へと降下できるようにすると良い。
【００１０】
本発明の避難機器において、前記ロープ圧接手段は、ボックスに内蔵されたゴム板を、回転車周囲に巻掛けられたロープ外側に押し付けて、そのロープを回転車周囲に圧接させるものとすると良い。
そして、避難者が、そのゴム板の弾発力を用いて、ロープが巻掛けられた回転車周囲にロープを圧接できるようにすると良い。そして、避難者が、そのロープと回転車との間に働く摩擦力を用いて、回転車がロープに対してスリップするのを、防げるようにすると良い。
ロープを圧接させる回転車周囲には、ゴム材等の摩擦力増強材を貼着すると良い。そして、避難者が、その摩擦力増強材により、ロープと回転車との間に働く摩擦力を高めて、回転車がロープに対してスリップするのを、確実に防げるようにすると良い。
【００１１】
ロープ圧接手段を、上記のように構成した場合には、前記ゴム板を回転車周囲に巻掛けられたロープ外側に押し付ける押圧力を調整する調整手段を備えると良い。
そして、避難者が、自己の体重の軽重に応じて、ロープと回転車との間に働く摩擦力を、調整手段を用いて、強弱に調整できるようにすると良い。そして、避難者が、回転車がロープに対してスリップするのを確実に防げるようにすると良い。それと共に、避難者が、体重の軽い小児等の力のない者であっても、回転車を回転させるハンドルの回転操作を大きな力を加えずとも容易かつ円滑に行えるようにすると良い。
【００１２】
本発明の避難機器において、前記回転操作手段は、２個のかさ歯車を介して、前記建物の避難側壁とほぼ平行な方向に回転させる回転車の回転軸が、該回転車が収納されたボックスの一方の側部外方に延設された前記建物の避難側壁に対してほぼ垂直な方向に回転操作するハンドルの回転軸に連結されたものとすると良い。
そして、避難者が、ハンドルを回転操作することにより、その避難側壁に対してほぼ垂直な方向に回転させるハンドルの回転力を、２個のかさ歯車を介して、建物の避難側壁とほぼ平行な方向に回転させる回転車に伝えることができるようにすると良い。
また、ハンドルを、回転車の回転軸と同じボックスの前後方向に延設させずに、ボックスの一方の側部外方に延設させた構造とすると良い。そして、そのボックスの一方の側部外方に延設されたハンドルを、建物の避難側壁方向を向いた状態でボックスに取着された避難者支持帯に腰掛ける等した避難者が、不自然な姿勢を取らずに、ほぼ垂直上方を向いた安定した姿勢のまま、容易かつ的確に回転操作できるようにすると良い。
【発明の効果】
【００１３】
以上説明したように、本発明の避難機器によれば、地震や建物火災の際などの緊急時に、避難者が、斜め横向き等の不安定な姿勢を取らずに、ほぼ垂直上方を向いた安心感のある安定した姿勢で、建物の避難側壁に沿って建物外部の地上面へと避難できる。
また、本発明の避難機器によれば、避難者は、ボックスに取着された避難者支持帯に腰掛ける等して、ボックスに自己の身体を支持させた状態で、ボックス外部に延設されたハンドルを回転操作するだけで、建物の避難側壁に沿って建物外部の地上面へと避難できる。そのため、心が不安定で動揺した状態にある避難者であっても、本発明の避難機器を、常に誤りなく操作して、安全かつ迅速に建物外部の地上面へと避難できる。
【発明を実施するための最良の形態】
【００１４】
図１ないし図５は本発明の避難機器の好適な実施の形態を示している。以下に、この避難機器を説明する。
【００１５】
この避難機器は、図１〜図４に示したように、回転車１０が回転自在に収納されたボックス２０と、建物の避難側壁外方に突出する軒先３０の左右に並べて回転自在に懸垂された２個の滑車４０ａ、４０ｂと、その２個の滑車周囲と前記ボックス内の回転車１０周囲とに連続して巻掛けられたロープ５０であって、その一端がボックス２０の一方の側部に固定されて、その他端がボックス２０の他方の側部から前記建物の避難側壁下方の地上面１００に向けて垂下されたロープ５０と、前記回転車周囲に巻掛けられたロープ５０を回転車１０周囲に圧接させて、回転車１０がロープ５０に対してスリップするのを防ぐロープ圧接手段６０と、前記ボックス外部に延設された避難者が回転操作するハンドル７０と、該ハンドルを回転操作することにより、前記ボックスに収納された回転車１０を回転させる回転操作手段８０と、図１に示されような、ボックス２０に取着された避難者支持帯９０とからなっている。
【００１６】
ロープ圧接手段６０は、図２と図３に示したように、ボックス２０に内蔵されたゴム板６０ａを、回転車１０周囲に巻掛けられたロープ５０外側に押し付けて、そのロープ５０を回転車１０周囲に圧接させる構造としている。
そして、避難者が、そのゴム板６０ａの弾発力を用いて、ロープ５０が巻掛けられた回転車１０周囲にロープ５０を圧接できるようにしている。そして、避難者が、そのロープ５０と回転車１０との間に働く摩擦力を用いて、回転車１０がロープ５０に対してスリップするのを、防げるようにしている。
ロープ５０を圧接させる回転車１０周囲には、ゴム材等の摩擦力増強材１０ａが貼着されている。そして、避難者が、その摩擦力増強材１０ａにより、ロープ５０と回転車１０との間に働く摩擦力が高めて、回転車１０がロープ５０に対してスリップするのを、確実に防げるようにしている。
【００１７】
ロープ圧接手段６０には、図２と図３に示したように、ゴム板６０ａを回転車１０周囲に巻掛けられたロープ５０外側に押し付ける押圧力を調整する調整手段６２が備えられている。
そして、避難者が、自己の体重の軽重に応じて、ロープ５０と回転車１０との間に働く摩擦力を、調整手段６２を用いて、強弱に調整できる構造としている。そして、回転車１０がロープ５０に対してスリップするのを確実に防止できるようにしている。それと共に、避難者が、体重の軽い小児等の力のない者であっても、回転車１０を回転させるハンドル７０の回転操作を大きな力を加えずとも容易かつ円滑に行えるようにしている。
調整手段６２は、図２と図３に示したように、避難者が、ボックス２０外側からボックス２０内側に向けて螺挿された調整ねじ６０ｂを正逆に回転させることにより、ボックス２０に内蔵されたゴム板６０ａを、押板６０ｃを介して、ロープ５０外側に押し付ける押圧力を強弱に調整できる構造としている。
【００１８】
回転操作手段８０は、図３と図４に示したように、２個のかさ歯車８０ａ、８０ｂを介して、建物の避難側壁とほぼ平行な方向に回転する回転車の回転軸１０ｂが、該回転車が収納されたボックス２０の一方の側部外方に延設された前記建物の避難側壁に対してほぼ垂直な方向に回転操作するハンドルの回転軸７０ａに連結された構造としている。
そして、避難者が、ハンドル７０を回転操作することにより、その避難側壁に対してほぼ垂直な方向に回転させるハンドル７０の回転力を、２個のかさ歯車８０ａ、８０ｂを介して、建物の避難側壁とほぼ平行な方向に回転させる回転車１０に伝えられるようにしている。
また、ハンドル７０を、回転車の回転軸１０ｂと同じボックス２０の前後方向に延設させずに、ボックス２０の一方の側部外方に延設させた構造としている。そして、そのボックス２０の一方の側部外方に延設されたハンドル７０を、建物の避難側壁方向を向いた状態でボックス２０に取着された避難者支持帯９０に腰掛ける等した避難者が、不自然な姿勢を取らずに、ほぼ垂直上方を向いた安定した姿勢のまま、容易かつ的確に回転操作できるようにしている。
かさ歯車８０ａ、８０ｂ周囲は、避難者の安全を図る目的で、安全カバー８０ｃにより覆われた構造としている。
【００１９】
避難者支持帯９０は、図１に示したように、ハンモック状をしていて、その避難者支持帯９０に避難者が腰掛けた状態で、避難者がボックス２０に支持される構造をしている。避難者支持帯９０は、避難者の身体に巻き付けて、避難者がボックス２０に支持されるバンド構造とすることも、可能である。
【００２０】
この避難機器を用いて、避難者が建物外部の地上面へと避難する際には、避難者は、図１に示したように、ボックス２０に取着された避難者支持帯９０に腰掛けたり身体を巻き付けたりして、ボックス２０に自己の身体を支持させた状態とする。そして、避難者は、ボックス２０外部に延設されたハンドル７０を、図１に示した矢印方向に回転操作する。そして、ハンドルの回転軸１０ａに回転操作手段８０を介して連結されたボックス内の回転車１０を、図２に示した矢印方向に回転させる。そして、避難者は、建物の避難側壁外方に突出する軒先３０の左右に並べて回転自在に懸垂された２個の滑車４０ａ、４０ｂと、ボックス内の回転車１０周囲とに連続して巻掛けられて、一端がボックス２０の一方の側部に固定されて、他端がボックス２０の他方の側部から建物外部の地上面１００方向へと垂下されたロープ５０に沿って、回転車１０を回転させながら、回転車１０が収納されたボックス２０を、該ボックスに支持された自己の身体と共に、建物の避難側壁下方の地上面１００へと降下させる。
その際には、避難者は、ロープ圧接手段６０及び調整手段６２を用いて、回転車１０周囲に巻掛けられたロープ５０を回転車１０周囲に、自己の体重に応じた所定押圧力で圧接させて、回転車１０がロープ５０に対してスリップするのを防ぐ。そして、避難者は、回転車１０を、ロープ５０に対してスリップさせずに、ロープ５０に沿って回転させながら、回転車が収納されたボックス２０を、該ボックスに支持された自己の身体と共に、ロープ５０が垂下された地上面１００へと降下させる。
すると、図１に示したように、避難者支持帯９０に腰掛けたり身体を巻き付けたりした避難者は、ボックス２０と共に、ロープ５０を伝って、建物避難側壁下方の地上面１００へと安全に降下できる。
その際には、ボックス２０の左右の側部が、建物の避難側壁外方に突出する軒先３０の左右に並べて回転自在に懸垂された２個の滑車４０ａ、４０ｂに連続して巻掛けられて、それら２個の滑車４０ａ、４０ｂの下方に垂下された左右２本のロープ５０に支持されて、ボックス２０が建物の避難側壁に沿って左右に傾かずにほぼ垂直上方を向いた安定した状態で吊り下げられることとなる。そして、それら２個の滑車４０ａ、４０ｂから垂下された２本のロープ５０に支持されたボックス２０が、左右のいずれか一方に傾くことなく、安定したほぼ垂直上方を向いた状態で、建物の避難側壁に沿って地上面１００へと降下することになる。そのため、そのボックス２０に取着された避難者支持帯９０に腰掛けたり身体を巻き付けたりした避難者は、左右のいずれか一方に傾く等した不安定な不自然な姿勢を取らずに、ほぼ垂直上方を向いた安定した姿勢で、地上面１００へと降下できる。
また、その際には、ボックス２０に取着された避難者支持帯９０に腰掛ける等して、そのボックス２０に自己の身体を支持させた避難者は、ボックス外部に延設されたハンドル７０を回転操作するだけで、ボックス２０と共に、ロープ５０を伝って、建物の避難側壁に沿って、地上面１００へと、安全かつ迅速に降下できる。
【００２１】
この避難機器においては、建物の軒先３０に滑車４０ａ、４０ｂを介して懸垂されたロープ５０の一端から他端までの長さが、滑車４０ａ、４０ｂが垂下された軒先３０から地上面１００までの距離のほぼ２〜３倍に形成されている。
そして、避難者が、ボックス２０に取着された避難者支持帯９０に腰掛ける等して、ボックス２０と共に、ロープ５０を伝って、建物の避難側壁に沿って、地上面１００へと降下して、地上面１００に降り立った際には、図５に示したように、その避難者と共に地上面１００又は地上面１００近くに降下したボックス２０の一方の側部に一端５０ａが固定されて、２個の滑車４０ａ、４０ｂ周囲と回転車１０周囲とに連続して巻掛けられてボックス２０の他方の側部から地上面１００方向へと垂下されたロープの他端５０ｂが、地上面１００上方に高く持ち上がらずに、地上面１００又は地上面１００近くに位置した状態となる。
そのため、地上面１００に居る避難者救出者等は、その地上面１００又は地上面１００近くに位置するロープの他端５０ｂを、地上面１００方向に引っ張って、そのロープの他端５０ｂを地上面１００へと手繰り下げることができる。そして、その２個の滑車４０ａ、４０ｂ周囲に巻掛けられたロープ５０を介して、建物の軒先３０に吊り下げられた、避難者を地上面１００へと降下させて空となったボックス２０を、建物上方の軒先３０近くに引き上げることができる。そして、それに伴って、そのボックス２０及びそれに取着された避難者支持帯９０等を、建物の避難側壁に沿って、建物の窓、ベランダ、バルコニー等の避難者の脱出口まで引き上げることができる。そして、その引き上げたボックス２０及びそれに取着された避難者支持帯９０等からなる避難機器を、上記と同様にして、次の建物内に残る避難者を建物外部の地上面１００へと避難させるための、避難機器として、再び利用できる。
【００２２】
図６は本発明の避難機器の他の好適な実施の形態を示している。
この避難機器においては、建物の軒先３０に１個の滑車４０が、回転自在に懸垂されている。そして、その滑車４０周囲とボックス内の回転車１０周囲とに、その一端５０ａがボックス２０の一方の側部に固定されて、その他端５０ｂがボックス２０の他方の側部から建物の避難側壁下方の地上面１００に向けて垂下されたロープ５０が連続して巻掛けられた構造をしている。
その他は、前述の図１〜図４に示された避難機器と同様に構成されていて、この避難機器を用いて、避難者が、建物の避難側壁外方の地上面１００へと降下する際には、前述の図１〜図４に示された避難機器と同様にして、避難者は、ボックス２０に取着された避難者支持帯９０に腰掛ける等して、ボックス２０外部に延設されたハンドル７０を回転操作することにより、ボックス２０と共に、建物の軒先の３０に滑車４０を介して懸垂されたロープ５０を伝って、地上面１００へと降下できる。
【産業上の利用可能性】
【００２３】
本発明の避難機器は、地震や火災などの緊急避難時に、建物内に居る避難者が、建物の窓、バルコニー、ベランダ等の建物の脱出口から、建物外部の地上面へと安全に脱出するための、構造が簡単で操作の容易な汎用性のある避難機器として、広く利用可能である。
【図面の簡単な説明】
【００２４】
【図１】本発明の避難機器の使用状態説明図である。
【図２】本発明の避難機器の正面断面図である。
【図３】本発明の避難機器の平面断面図である。
【図４】本発明の避難機器の背面図である。
【図５】本発明の避難機器の使用状態説明図である。
【図６】本発明の避難機器の正面断面図である。
【符号の説明】
【００２５】
１０  回転車
２０  ボックス
３０  建物の軒先
４０ａ、４０ｂ、４０  滑車
５０  ロープ
６０  ロープ圧接手段
６２  調整手段
７０  ハンドル
８０  回転操作手段
８０ａ、８０ｂ  かさ歯車
８０ｃ  安全カバー
９０  避難者支持帯
１００  地上面
【図１】
2008036108.tif 000003
【図２】
2008036108.tif 000004
【図３】
2008036108.tif 000005
【図４】
2008036108.tif 000006
【図５】
2008036108.tif 000007
【図６】
2008036108.tif 000008